(57)【要約】【課題】  ブランクの内面への貼り付きを有効に防止することができる収容構造および収容ケースを提供すること。【解決手段】  内部に収容空間Ｓを備え、該収容空間に通じる開口２１を有する絶縁材料にて形成されたケース２０と、該ケースの外側に配置され、少なくとも該ケース内に磁力が及ぶ程度に近接して配置されたマグネットシート２４と、前記マグネットシートが間に介在するようにして前記ケースが置かれる鉄板とを備えるブランクの収容構造。【選択図】  図１
2007091255.tif 000002
【特許請求の範囲】
【請求項１】
内部に収容空間を備え、該収容空間に通じる開口を有する絶縁材料にて形成されたケースと、
該ケースの外側に配置され、少なくとも該ケース内に磁力が及ぶ程度に近接して配置されたマグネットシートと、
前記マグネットシートが間に介在するようにして前記ケースが置かれる鉄板と
を備えることを特徴とするブランク収容構造。
【請求項２】
内部に収容空間を備え、該収容空間に通じる開口を有する絶縁材料にて形成されたケース本体と、
該ケースの外側に配置され、少なくとも該ケース内に磁力が及ぶ程度に近接して配置されたマグネットシートと
を備えることを特徴とするブランク収容ケース。
【請求項３】
前記マグネットシートが前記ケース本体の底面に固定されていることを特徴とする請求項２に記載のブランク収容ケース。
【請求項４】
前記マグネットシートが前記ケース本体の側面に固定されていることを特徴とする請求項３に記載のブランク収容ケース。
【請求項５】
内部に収容空間を備え、該収容空間に通じる開口を有する絶縁材料にて形成されたケース本体と、
該ケースの少なくとも底部を構成する材料に磁性材料を混入することにより、前記収容空間に磁性が及ぶようにした
ことを特徴とするブランク収容ケース。
【発明の詳細な説明】
【技術分野】
【０００１】
本発明は、水晶などの圧電材料により形成した振動素片であるブランクを収容するための箱状のケースおよびブランクの収容構造の改良に関する。
【背景技術】
【０００２】
ＨＤＤ（ハード・ディスク・ドライブ）、モバイルコンピュータ、あるいはＩＣカード等の小型の情報機器や、携帯電話、自動車電話、またはページングシステム等の移動体通信機器やジャイロセンサなどの計測機器において、パッケージなどの内部に圧電振動片を収容した圧電振動子や圧電発振器等の圧電デバイスが広く使用されている。
この圧電振動片は、主として水晶などの圧電材料でなる薄板、すなわちウエハを切断して得られる小さくて極薄の水晶板であるブランクが利用されている。
【０００３】
このようなブランクの製造工程において、その周波数を選別する機械や、欠陥の選別を行う機械などに付属するように、該加工対象であるブランクの収容ケースが使用されている。
もともとブランクは、例えば１ｍｍないし１０ｍｍ四方の大きさで、厚みにいたっては３０μｍないし０．５ｍｍという極端に小さく、薄い構造であるため、これらを水晶ウエハから切り出して、検査のためなどに一端収容するための収容箱では、その払い出しがうまくいかないという問題があった。
【０００４】
図７は、このようなブランクの収容ケースであるブランク収容箱１を示す概略斜視図である（特許文献１、図１参照）。
図において、収容箱１は、特殊な樹脂製、すなわち導電樹脂で形成された箱体であり、静電気が溜まりにくいようになっている。
すなわち、ブランク４が、収容箱１の開口２から内部に入れられ、収容空間に保持されていると、内部で静電気が生じる。そして、ブランク４を取り出そうと（払い出そうと）すると、その一部が底面３などに貼り付いて、取り出すことができないという問題がある。
そこで、図７のものでは、底面３に凹凸を形成し、ブランク４が底面３に貼り付かないようにしようとするものである。
【０００５】
【特許文献１】特開２０００−２８１１６９
【発明の開示】
【発明が解決しようとする課題】
【０００６】
ところが、このような構造とすると、収容箱１は、底面３を曲面にして、凹凸を形成した分、平らな曲面と比べて収容力に劣るだけでなく、ブランク４の収容箱１の内面への貼り付きが十分に防止されず、結局、かなりのブランクが貼り付いてしまい、払い出しすることができないという問題がある。
【０００７】
本発明は、以上の課題を解決するためになされたもので、ブランクの内面への貼り付きを有効に防止することができる収容構造および収容ケースを提供することを目的とする。
【課題を解決するための手段】
【０００８】
上述の目的は、第１の発明にあっては、内部に収容空間を備え、該収容空間に通じる開口を有する絶縁材料にて形成されたケースと、該ケースの外側に配置され、少なくとも該ケース内に磁力が及ぶ程度に近接して配置されたマグネットシートと、前記マグネットシートが間に介在するようにして前記ケースが置かれる鉄板とを備えるブランク収容構造により、達成される。
【０００９】
また、上述の目的は、第２の発明にあっては、内部に収容空間を備え、該収容空間に通じる開口を有する絶縁材料にて形成されたケース本体と、該ケースの外側に配置され、少なくとも該ケース内に磁力が及ぶ程度に近接して配置されたマグネットシートとを備えるブランク収容ケースにより、達成される。
【００１０】
第３の発明は、第２の発明の構成において、前記マグネットシートが前記ケース本体の底面に固定されていることを特徴とする。
【００１１】
第４の発明は、第３の発明の構成において、前記マグネットシートが前記ケース本体の側面に固定されていることを特徴とする。
【００１２】
さらに、また、上述の目的は、第５の発明にあっては、内部に収容空間を備え、該収容空間に通じる開口を有する絶縁材料にて形成されたケース本体と、該ケースの少なくとも底部を構成する材料に磁性材料を混入することにより、前記収容空間に磁性が及ぶようにしたブランク収容ケースにより、達成される。
【発明を実施するための最良の形態】
【００１３】
図１は、ブランクの製造工程の一部で使用される装置である周波数選別機の概略正面図であり、図２は図１の装置の概略側面図である。
図１において、周波数選別機（以下、「装置１０」という）は、基台１１と、基台１１の上部に設置されクリーンルームとされた作業部１２とを有している。作業部１２内は、図２に示すように空気導入部１３と空気排出部１４とを備えており、清潔な空気が導入されるようになっている。
【００１４】
作業部１２には、例えば水晶ウエハを所定の結晶軸方位にしたがってカットすることにより得られた水晶振動素片であるブランク（図示せず）が送られてくる搬送系１５が設けられている。
搬送系１５から供給されるブランクは図２の周波数測定部１６にて、駆動電圧が印加され、その発振周波数が測定されるようになっている。
測定を終えたブランクは図１の収納ケース台１７の上で、該収納ケース台１７の上面をなす鉄板１７ａの上に並べられた複数の収容ケース（収納箱）１８に分類して収容されるようになっている。
なお、図１における符号１８の収容ケースは、複数の収容ケースを示しており、図３では個々の収容ケースが示されている。
【００１５】
図３は、収容ケースの第１の実施形態を示す概略斜視図である。
図３において、収容ケース２０は、奥行き方向に長く、並列された方向に比較的薄い箱状の容器であり、上端には開口２１が設けられているとともに、十分な数のブランク２３を収容できるように比較的深い形態とされている。
収容ケース２０は、ポリ塩化ビニル、ポリテトラフルオロエチレン（ＰＴＦＥ）等のプラスチック、ジルコニア等のセラミックス、ガラスなどの絶縁材料もしくは誘電体でなり、それ自体は電気を通さないもので形成されている。
【００１６】
収容ケース２０が複数個図示のように一列に並べられている状態において、これらの収容ケース２０は、マグネットシート２４の上に載置されている。
マグネットシート２４は、磁性粉を混入したゴム（樹脂）状のシートであり、例えば、商品名；マグネットシート（カラー）（品番；マク−Ｅ３００）（コクヨ株式会社製）として市販されているものが好適に使用できる。
このマグネットシート２４は、図１の装置１０の収納ケース台１７の上に敷かれており、該収納ケース台１７が鉄板で形成されていることで、ブランクの収容構造が構成されている。
【００１７】
本実施形態は以上のように構成されており、マグネットシートにより形成される磁界が収容ケース２０の内部に及ぶ。これにより収容ケース２０内において静電気除去効果が見られる。
このため、周波数測定が終了したブランク２３を各収容ケース２０に収納した後で、例えば、次段の作業に際して収容ケース２０からブランク２３を取り出す場合には、該収容ケース２０内において、静電気の作用によって収容ケース２０の内面に貼り付いてしまうことが有効に防止されて、適切に払い出される。
【００１８】
このように、本実施形態では、収容ケース２０に対するマグネットシート２４の作用によって、適切に静電気が除去されるから、従来のように、静電気によるケース内面の貼り付き対策として、該内面について曲面を形成して隅部ができることを極力避ける必要がなく、特殊な形態を不要とするので、図示のような通常の矩形のケースとして、内部空間（収容空間）Ｓにブランク２３の十分な収容力を確保できる。
また、収容ケース２０の最も奥側である底面に、貼り付き防止のための凹凸を形成する必要もなく、さらには、収容ケース２０自体を構成する材料として、従来のように、静電気の発生を極力防止するために、導電体を混入した樹脂などの特殊材料を使用することは不要であるから、製造コストも低い。
【００１９】
図４は、第２の実施形態を示している。
図において、収容ケース２０−１は、横方向に延びる支持体３１に支持されており、全体として試験管状の形態である。収容ケース２０−１の材質は第１の実施形態と同じである。
収容ケース２０−１の下方には、マグネットシート２４が配置されており、該マグネットシート２４は、図１の装置１０の収納ケース台１７の上に敷かれている。
本実施形態は以上のように構成されており、収容ケースの形態を変えても同様の作用効果が発揮でき、静電気を除去することができる。これにより、収容ケース２０−１の内部にブランクが貼り付いて取り出せないという事態が有効に防止できる。
【００２０】
図５は、第３の実施形態の要部を示す概略断面図である。
図において、収容ケース２０−２は、マグネットシート２４の上に載置されている点は第１の実施形態と同じである。
この実施形態が第１の実施形態と相違するのは、収容ケース２０−２の側面に、さらにマグネットシート２４−１を配置し、あるいは接合した点である。
このような構成とすることで、収容ケース２０−２内において、静電気の作用によってその内面にブランク２３が貼り付いてしまうことが有効に防止されて、適切に払い出される。
【００２１】
図６は第４の実施形態を示す概略斜視図である。
収容ケース２０−３が第１の実施形態と相違しているのは、該収容ケース２０−３の底面に、切り取ったマグネットシート２４−２が貼り付けなどにより一体に固定もしくは接合されている点である。なお、３１は、図１の装置１０の収納ケース台１７の表面の鉄板である。
これにより、第１の実施形態と同様の作用効果を得ることができると共に、該収容ケース２０−３自体にマグネットシートを組み込んでいるので、省スペース化を図ることができる。
【００２２】
本発明は上述の実施形態に限定されない。実施形態の各構成はこれらを適宜省略し、図示しない他の構成と組み合わせることができる。
また、この発明は、ブランクに限らず、小さくて、厚みの薄い絶縁材料でなる薄片の収容もしくは収納ケースに適用することができる。
【図面の簡単な説明】
【００２３】
【図１】本発明実施形態の収容ケースが利用される装置の概略正面図。
【図２】本発明実施形態の収容ケースが利用される装置の概略側面図。
【図３】第１の実施形態の収容ケースの概略斜視図。
【図４】第２の実施形態の収容ケースの概略正面図。
【図５】第３の実施形態の収容ケースの要部の概略断面図。
【図６】第４の実施形態の収容ケースの概略斜視図。
【図７】従来のブランク収納箱の概略構成図。
【符号の説明】
【００２４】
１０・・・周波数選別機、２０，２０−１，２０−２，２０−３・・・収容ケース、２１・・・開口、２３・・・ブランク、２４，２４−１，２４−２・・・マグネットシートＳ・・・内部空間（収容空間）
【図１】
2007091255.tif 000003
【図２】
2007091255.tif 000004
【図３】
2007091255.tif 000005
【図４】
2007091255.tif 000006
【図５】
2007091255.tif 000007
【図６】
2007091255.tif 000008
【図７】
2007091255.tif 000009